(57)【要約】【課題】軽量かつコンパクトで、効率的に加湿することができ、騒音が少ない加湿器を提供することを目的とする。【解決手段】水槽部６と、この水槽部６に一定量の水を供給する給水用水タンク３と、室内の乾燥した空気を取入れる吸い込み口１０と、室内に湿った空気を送る吹き出し口８と、両口１０、８間を連絡する風路中に配設された送風装置９と、下部を水槽部６内の水に浸漬した気化フィルター７とにより構成され、送風装置９によって吸い込み口１０から吸い込まれた室内の乾燥した空気を、水槽部６の水により湿潤した気化フィルター７を通過させ、吹き出し口８から吹き出すようにした加湿器において、前記気化フィルター７は小穴７Ａの明いた吸水性の良いシート状の素材７Ｄをプリーツ折りし、このプリーツ折りした折返し部７Ｂを切断除去して形成した。【選択図】  図１
2004278881.tif 000002
【特許請求の範囲】
【請求項１】
水槽部（６）と、この水槽部（６）に一定量の水を供給する給水用水タンク（３）と、室内の乾燥した空気を取入れる吸い込み口（１０）と、室内に湿った空気を送る吹き出し口（８）と、両口（１０）、（８）間を連絡する風路中に配設された送風装置（９）と、下部を水槽部（６）内の水に浸漬した気化フィルター（７）とにより構成され、送風装置（９）によって吸い込み口（１０）から吸い込まれた室内の乾燥した空気を、水槽部（６）の水により湿潤した気化フィルター（７）を通過させ、吹き出し口（８）から吹き出すようにした加湿器において、前記気化フィルター（７）は小穴（７Ａ）の明いた吸水性の良いシート状の素材（７Ｄ）をプリーツ折りし、このプリーツ折りした折返し部（７Ｂ）を切断除去して形成したことを特徴とする加湿器。
【発明の詳細な説明】
【０００１】
【発明の属する技術分野】
本発明は、気化式の加湿器に関するものである。
【０００２】
【従来の技術】
従来のこの種の気化式の加湿器は、例えば図４に示すような構造のものが一般に知られている。
【０００３】
すなわち、２１は横長箱型の加湿器本体、２２は本体２１内の下部に設けられた水槽で、カートリッジ式の給水用水タンク２３等によって給水される。
【０００４】
２４は加湿ドラムで、外周にウレタンフォーム（発泡体）円筒状の加湿フィルター２５を装着し、一方を閉じた閉止部２６とし、他方を開口部２７とし、中心軸２８で本体２１に回転軸としてささえられ、加湿フィルター２５の下部を水槽２２の水面下に浸漬させている。
【０００５】
２９はギヤモーターで、加湿ドラム２４を回転させる駆動軸を有し、加湿ドラム２４の中心軸２８を回転させる。
【０００６】
３０は本体２１内に配設された送風装置で、水槽２２内の加湿ドラム２４の開口部２７から内部に送風する。
【０００７】
３１は中心軸２８に取付けられた風向体で、加湿フィルター２５の表面から出る空気の風速が弱まる点から閉止部２６まで加湿ドラム２４のほぼ内径に沿うように円錐状に形成されている。
【０００８】
その動作は、まず、給水用水タンク２３から水槽２２に水が供給され、水槽２２内の水は一定の水位に保たれ、その水位に浸るように加湿ドラム２４が回転し、周囲に取付けた加湿フィルター２５は発泡体であるため、その空泡部に水滴が付着したり、膜ができたりして水を含んだ状態となる。
【０００９】
次に、送風装置３０を駆動して加湿ドラム２４の開口部２７から内部に送風すると、空気は加湿フィルター２５を通過して外部に吹き出される。
【００１０】
加湿ドラム２４の中を空気が通過すると、加湿フィルター２５内の水滴や膜が壊れ加湿しなくなるが、加湿フィルター２５は加湿ドラム２４の回転により再び水を含んだ状態となる。
【００１１】
したがって、加湿ドラム２４の内部に送風された空気は風向体３１に沿って加湿フィルター２５を通過し、加湿フィルター２５の表面から湿った空気が吹き出され、これが室内に放出されて室内を加湿する（例えば特許文献１参照）。
【００１２】
しかしながら、上記の従来技術において、加湿フィルター２５は、ウレタンを発泡させ、その発泡で出来た空泡部を利用して加湿フィルター２５を一度水没させることにより空泡に水滴を保持したり、膜を作り、この状態の中に風を通すことにより、風は水滴を破壊したり膜を破って風を湿潤させているものであった。
【００１３】
このため、風が一度通過するとその後の風は素通りして加湿効率が悪くなるため、所定の加湿量を確保するには、本体２１を大きくし、加湿フィルター２５を大きくするとともに風の量を増す等の対応をする必要があった。
【００１４】
ところで、近年では軽量で、かつコンパクト化が要求されており、図１、図２、図５に示すような構成のものが提案されている。
【００１５】
図において、１は本体、２はこの本体１内の下部に配設された水槽、６は水槽２の横に並べて配設された水槽部で、両者は樹脂で一体に成形され、ともに底部で連なって同一レベルの水を貯水している。
【００１６】
１０は室内の乾燥した空気を本体１内に取入れる吸い込み口で、本体１の側面に開口している。
【００１７】
８は室内に湿った空気を送る吹き出し口で、本体１の上面に開口している。
【００１８】
９は吸い込み口１０と吹き出し口８間を連絡する風路中に配設された送風装置で、この出口側には、気化フィルター７が枠体（図示せず）に固定されて配設され、その下部は水槽部６内の水に浸漬されている。
【００１９】
気化フィルター７は図５（ａ）の斜視図、（ｂ）の平面図に示すように、全面に小穴７Ａの明いた吸水性の良いシート状の素材７Ｄをプリーツ折りした横長方形に形成され、かつ、その横長方向に沿って複数本（図では３本）プリーツ折りした部分が一定の隙間を保持して固定されるように接着剤７Ｃを塗布して接着固定している。
【００２０】
４は送風装置９の出口側近傍に配設され、空気を加熱するヒータであり、５はこのヒータ４を収納する支持枠で、上下面が開口しているものである。
【００２１】
上記の構成による動作を以下説明する。
【００２２】
加湿器を運転する際には、給水用水タンク３に水を入れ、水槽２に設置することにより水槽部６には一定水量の水が流れ出し、気化フィルター７の下部を水没させ、この水を吸い上げることにより気化フィルター７は湿潤する。
【００２３】
このような状態で送風装置９を駆動すると、吸い込み口１０から取入れられた室内の乾燥した空気は、送風装置９の出口側に配設されたヒータ４により加熱される。
【００２４】
次に、加熱された空気は、下部を水槽部６の水に水没させることで湿潤した気化フィルター７を通過し、気化フィルター７の吸水した水を蒸発させて吹き出し口８へ吹き込まれ、該吹き出し口８から室内に放出され室内を加湿することとなる。
【００２５】
【特許文献１】
実開昭５６−２１１３８号公報
【００２６】
【発明が解決しようとする課題】
しかしながら、上記の従来技術において、後者に示すものは、気化フィルター７の空気の通過抵抗が大きいため、風量が低下してしまい、そのため所定の加湿量を確保するためには送風装置９の回転数を増やすなどの対応が必要となり、その結果騒音が大きくなるという問題があった。
【００２７】
【課題を解決するための手段】
本発明は上記の問題点を解決するためになされたものであり、水槽部と、この水槽部に一定量の水を供給する給水用水タンクと、室内の乾燥した空気を取入れる吸い込み口と、室内に湿った空気を送る吹き出し口と、両口間を連絡する風路中に配設された送風装置と、下部を水槽部内の水に浸漬した気化フィルターとにより構成され、送風装置によって吸い込み口から吸い込まれた室内の乾燥した空気を、水槽部の水により湿潤した気化フィルターを通過させ、吹き出し口から吹き出すようにした加湿器において、前記気化フィルターは小穴の明いた吸水性の良いシート状の素材をプリーツ折りし、このプリーツ折りした折返し部を切断除去して形成したものである。
【００２８】
これによって、気化フィルターの空気の通過抵抗が減少し、また、気化フィルターの水分の蒸発効率が増大したことにより、少量の風量で所定の加湿量が得られるため、送風装置の回転数を低下でき、騒音を低下させることができる。
【００２９】
【発明の実施の形態】
以下本発明の一実施例を図１〜図３を参照して説明する。
【００３０】
図１は本発明の一実施例および従来例の加湿器の構成を示す正面断面図である。図２は同じく側面断面図である。図３は本発明の一実施例の気化フィルターの（ａ）は斜視図、（ｂ）は平面図である。
【００３１】
図１と図２は従来例と同じ構成であり、従来例で説明したので省略する。
【００３２】
気化フィルター７は図３に示すように、全面に小穴７Ａの明いた吸水性の良いシート状の素材７Ｄをプリーツ折りした横長方形に形成され、かつ、その横長方向に沿って複数本（図では３本）プリーツ折りした部分が一定の隙間を保持して固定されるように接着剤７Ｃを塗布して接着固定している。また、プリーツ折りした折返し部７Ｂは接着剤７Ｃで接着固定した部分を除いて切断除去している。
【００３３】
ここで、気化フィルター７を通過する加熱された空気は、気化フィルター７の吸水した水を蒸発させながら気化フィルター７の入口側から出口側に向うが、この時、気化フィルター７のプリーツ折りした折返し部７Ｂが切断除去されているため、気化フィルター７を通過しようとする空気はこの切断除去された折返し部７Ｂの隙間と気化フィルター７の全面に有る小穴７Ａの両方通過して出口側に向かうようになるため、空気の通過抵抗を小さくすることができることとなる。
【００３４】
ところで、図５に示すような従来のプリーツ折りした折返し部７Ｂを切断除去してない気化フィルター７の場合では、通過する空気は気化フィルター７の全面に設けられた小穴７Ａを通過して出口側に向かうしかなく、この事が空気の通過抵抗を増大させていた。そして、このとき気化フィルター７が吸水した水の蒸発の状態を見ると、気化フィルター７の出口側に近い部分の面からの蒸発がほとんどであり、このことから従来の気化フィルター７は蒸発効率が悪いものであった。
【００３５】
これに対して本実施例の気化フィルターは、プリーツ折りした折返し部７Ｂを切断除去しているため、気化フィルター７の入口側から出口側への空気の流れがスムーズになり、気化フィルター７のプリーツ折りした面同士の隙間部の表面を舐めながら、気化フィルター７の吸水した水を蒸発させて空気が通過するようになるため、気化フィルター７の水分蒸発面は入口側から出口側までの全面で蒸発するようになり蒸発効率が増大することとなる。
【００３６】
また、気化フィルター７の空気の通過抵抗が減少するため、小量の風量で所定の加湿量が得られるため、送風装置９の回転数を低下でき、騒音が低下することとなる。
【００３７】
【発明の効果】
以上説明したように、本発明は、水槽部と、この水槽部に一定量の水を供給する給水用水タンクと、室内の乾燥した空気を取入れる吸い込み口と、室内に湿った空気を送る吹き出し口と、両口間を連絡する風路中に配設された送風装置と、下部を水槽部内の水に浸漬した気化フィルターとにより構成され、送風装置によって吸い込み口から吸い込まれた室内の乾燥した空気を、水槽部の水により湿潤した気化フィルターを通過させ、吹き出し口から吹き出すようにした加湿器において、前記気化フィルターは小穴の明いた吸水性の良いシート状の素材をプリーツ折りし、このプリーツ折りした折返し部を切断除去して形成したので、気化フィルターの空気の通過抵抗が減少し、また、気化フィルターの水分の蒸発効率が増大したことにより少量の風量で所定の加湿量が得られるため、送風装置の回転数を低下でき、騒音を低下させることができる。
【図面の簡単な説明】
【図１】本発明の一実施例および従来例の加湿器の構成を示す正面断面図である。
【図２】同じく側面断面図である。
【図３】本発明の一実施例の気化フィルターの（ａ）は斜視図、（ｂ）は平面図である。
【図４】従来の加湿器の構成を示す断面図である。
【図５】従来の加湿器の気化フィルターの（ａ）は斜視図、（ｂ）は平面図である。
【符号の説明】
３  給水用水タンク
６  水槽部
７  気化フィルター
７Ａ  小穴
７Ｂ  折返し部
７Ｄ  素材
８  吹き出し口
９  送風装置
１０  吸い込み口
【図１】
2004278881.tif 000003
【図２】
2004278881.tif 000004
【図３】
2004278881.tif 000005
【図４】
2004278881.tif 000006
【図５】
2004278881.tif 000007